(57)【特許請求の範囲】
【請求項１】
生体組織に平坦な観察面を底面に有する略円筒状の穴を形成するための観察面用カッタであって、
円筒体の先端に、周方向に延びる周方向刃部と、少なくとも円筒体の中心から半径方向に延びる半径方向刃部と、前記ワイヤの張力を調節する張力調節機構とを備え、前記半径方向刃部が、前記周方向刃部に掛け渡されるワイヤからなる観察面用カッタと、
先端に全周にわたる円環状の切刃を有する円筒状のガイド部材とを備え、
前記観察面用カッタが、前記ガイド部材の内側に挿脱可能に嵌合され、前記ガイド部材によって周方向に回転自在に支持される観察用穴開け具。
【請求項２】
前記周方向刃部に、周方向に１８０°の間隔をあけて切欠が設けられ、
該切欠に前記ワイヤが係合している請求項１に記載の観察用穴開け具。
【請求項３】
前記ガイド部材の外周面に、先端に向かって先細になる段部が設けられ、
前記ガイド部材を回転自在に支持するとともに、前記ガイド部材の前記段部を軸方向に突き当てる突当面を備え、ガイド部材の軸方向に位置調節可能に設けられる支持部材とを備える請求項１または請求項２に記載の観察用穴開け具。
【請求項４】
前記ガイド部材が、前記段部を有する本体部と、該本体部に対して軸方向に着脱可能に取り付けられる円環状の切刃を有する先端部と、該先端部および前記本体部を周方向に相対回転しないように固定する固定手段とを備える請求項３に記載の観察用穴開け具。
【発明の詳細な説明】
【技術分野】
【０００１】
本発明は、観察用穴開け具に関するものである。
【背景技術】
【０００２】
従来、動物等の脳機能を観察する方法として、電極を脳組織に刺して脳電位を測定する方法が行われている（例えば、特許文献１参照。）。脳電位測定はあくまで電極が刺されている点における電位の測定となるため、観察できる範囲が非常に狭いという不都合がある。
【０００３】
これに対して、光学的な観察によれば２次元的な比較的広い範囲の観察が可能であり、さらに、共焦点光学系を用いることにすれば、３次元的な観察も可能であるので、脳機能の観察を光学的に行うことが望まれている。
【０００４】
【特許文献１】特許第３２０４８７５号明細書
【発明の開示】
【発明が解決しようとする課題】
【０００５】
しかしながら、脳機能を光学的に観察する場合、特に、脳の深部の観察を行う場合には、頭蓋骨に形成された貫通穴を介して脳組織に穿孔し、開けられた穴に細径の対物レンズの先端を挿入して穴の底面を観察する必要があるが、穿孔に際して脳細胞が潰れて破壊されてしまったり、穴の底面に形成される観察面が、破壊された脳組織によって凹凸に形成されてしまったりする不都合がある。
【０００６】
本発明は、上述した事情に鑑みてなされたものであって、生体組織の組織構造や細胞を破壊することなく、平坦な観察面を底面に有する略円筒状の穴を形成することができる観察用穴開け具を提供することを目的としている。
【課題を解決するための手段】
【０００７】
上記目的を達成するために、本発明は以下の手段を提供する。
本発明は、生体組織に平坦な観察面を底面に有する略円筒状の穴を形成するための観察面用カッタであって、円筒体の先端に、周方向に延びる周方向刃部と、少なくとも円筒体の中心から半径方向に延びる半径方向刃部と、前記ワイヤの張力を調節する張力調節機構とを備え、前記半径方向刃部が、前記周方向刃部に掛け渡されるワイヤからなる観察面用カッタと、先端に全周にわたる円環状の切刃を有する円筒状のガイド部材とを備え、前記観察面用カッタが、前記ガイド部材の内側に挿脱可能に嵌合され、前記ガイド部材によって周方向に回転自在に支持される観察用穴開け具を提供する。
本発明によれば、その先端を生体組織の表面に接触させて、軸線回りに回転させることにより、周方向刃部が生体組織に円筒状の切り込みを形成し、半径方向刃部がその切り込みの内部の生体組織を軸線に交差する方向に切断することができる。すなわち、円筒体の先端位置を所望の深さ位置において軸方向に固定した状態で、円筒体を軸線回りに回転させることにおり、半径方向刃部により平坦に切り取られた観察面を底面に有する略円筒状の穴を容易に形成することができる。この場合に、生体組織は半径方向刃部によりきれいに切断されるので、潰れて破壊されてしまうことがなく、光学的に鮮明な観察像を取得することが可能となる。
【０００８】
また、本発明においては、前記半径方向刃部が、前記周方向刃部に掛け渡されるワイヤからなることで、ワイヤにより周方向刃部を細く形成でき、先端に向かって軸方向に見たときの面積を最小限に抑えることができる。したがって、先端を生体組織の表面に接触させて、軸方向に押圧することによっても、小さい押圧力によって容易に生体組織に切り込みを形成することができる。
【０００９】
また、本発明においては、前記ワイヤの張力を調節する張力調節機構を備えることで、張力調節機構の作動によりワイヤの張力を調節し、ワイヤの緩みによる切断能力の低下を防止して、平坦な観察面を形成することができる。
【００１０】
また、本発明によれば、ガイド部材の全周にわたる円環状の切刃を生体組織の表面に接触させて、軸方向に押圧し、あるいは、軸線回りに回転させることにより、円環状の切り込みを形成した後に、ガイド部材の内側に観察用カッタを挿入して、円環状の切り込みの内側に配される生体組織を切り取ることができる。生体組織に切り込んだガイド部材をガイドとして観察用カッタを安定して回転させることができ、平坦な観察面を底面に有する略円筒状の穴を容易に形成することができる。
【００１１】
上記発明においては、前記周方向刃部に、周方向に１８０°の間隔をあけて切欠が設けられ、該切欠に前記ワイヤが係合していることとしてもよい。
このようにすることで、観察面用カッタを軸線回りに回転させる際に、ワイヤが生体組織から軸線に直交する方向に受ける反力に抗して、ワイヤを所定の位置に維持することができる。したがって、切断作業中においてワイヤが外れて半径方向刃部が失われる不都合の発生を未然に防止することができる。
【００１２】
また、上記発明においては、前記ガイド部材の外周面に、先端に向かって先細になる段部が設けられ、前記ガイド部材を回転自在に支持するとともに、前記ガイド部材の前記段部を軸方向に突き当てる突当面を備え、ガイド部材の軸方向に位置調節可能に設けられる支持部材とを備えることとしてもよい。
【００１３】
このようにすることで、位置調節された支持部材に対してガイド部材を軸方向に押圧し、あるいは、軸線回りに回転させることによって生体組織に円環状の切り込みを形成すると、支持部材の突当面に、ガイド部材の段部が軸方向に突き当たり、それ以上のガイド部材による切り込みが禁止される。したがって、支持部材の位置を調節することにより、ガイド部材による切り込み深さを精度よく調節することができ、所望の深さに観察面を有する穴を容易に形成することができる。
【００１４】
また、上記発明においては、前記ガイド部材が、前記段部を有する本体部と、該本体部に対して軸方向に着脱可能に取り付けられる円環状の切刃を有する先端部と、該先端部および前記本体部を周方向に相対回転しないように固定する固定手段とを備えることとしてもよい。
【００１５】
このようにすることで、固定手段により本体部と先端部とを固定した状態で、生体組織に円環状の切り込みを形成し、観察面用カッタによって切り込み内の生体組織を切り取って平坦な観察面を有する円筒状の穴を形成した後に、固定手段による固定を解除して先端部から本体部を切り離すことにより、先端部を生体組織に切り込んだ状態に残すことができる。先端部は、形成された穴の周囲を取り囲むように配置されるので、周囲の生体組織からの血液等の体液が穴内に流入してくるのを防止して、観察面を清浄な状態に維持し、光学的な観察を容易にすることができる。
【００１６】
また、本発明の参考例は、軸線に対して傾斜する斜面を先端に有する略円柱状の型部材の表面に電気鋳造により金属皮膜を形成し、型部材を引き抜いて得られた金属皮膜からなる円筒状素材から、前記型部材の斜面の表面に形成された金属皮膜の傾斜部の途中位置を通過し軸線に直交する平面により先端部を切り落として、少なくとも円筒体の中心から半径方向に延びる半径方向刃部を形成し、円筒体の先端の外周縁を切削または研削することにより、周方向に延びる周方向刃部を形成する観察面用カッタの製造方法を提供する。
このようにすることで、周方向刃部と半径方向刃部とを先端に有する略円筒状の観察面用カッタを容易に製造することができる。
【００１７】
上記参考例においては、前記型部材の斜面が、軸線を含む平面の片側に、該平面に直交する平面により構成された略半楕円形状の領域からなることとしてもよい。
このようにすることで、円筒体の先端に、中心から半径方向外方に延びる１つの半径方向刃部と、３／４周分にわたって延びる１つの周方向刃部とを有する観察面用カッタを容易に製造することができる。
【００１８】
また、上記参考例においては、前記型部材の斜面が、軸線を含む平面を挟んで両側に、該平面に直交し逆方向に傾斜する平面により構成された２つの略半楕円形状の領域からなることとしてもよい。
このようにすることで、円筒体の先端に、中心から半径方向外方に延びる２つの半径方向刃部と、１／４周分にわたって延びる２箇所の周方向刃部とを有する観察面用カッタを容易に製造することができる。
【発明の効果】
【００１９】
本発明によれば、生体組織の組織構造や細胞を破壊することなく、平坦な観察面を底面に有する略円筒状の穴を形成することができるという効果を奏する。
【発明を実施するための最良の形態】
【００２０】
以下、本発明の第１の実施形態に係る観察面用カッタ１について、図１〜図３を参照して、以下に説明する。
本実施形態に係る観察面用カッタ１は、図１および図２に示されるように、先端に円環状の切刃（周方向刃部）２を有する円筒状のカッタ本体（円筒体）３と、該カッタ本体３の切刃２に周方向に１８０°離れた２箇所に設けられた切欠４に掛け渡されるワイヤ（半径方向刃部）５と、該ワイヤ５の張力を調節する張力調節機構６とを備えている。ワイヤ５の太さ寸法は、約０．０５ｍｍ以下であることが好ましい。また、切欠４の深さは、ワイヤ５の太さとほぼ同等である。
【００２１】
カッタ本体３の２つの切欠４の近傍には、それぞれ半径方向に貫通する貫通穴７が設けられ、切欠４に掛け渡されたワイヤ５の両端が貫通穴７を介してカッタ本体３内に挿入された後、張力調節機構６に接続されている。
ワイヤ５は、円環状の切刃２の中心、すなわち、カッタ本体３の中心軸線Ｃを通る位置に掛け渡されている。
【００２２】
張力調節機構６は、カッタ本体３の外周面に設けられた雄ネジ８と、該雄ネジ８に締結されるナット９と、カッタ本体３に軸方向に移動可能に嵌合され、前記ワイヤ５の両端を固定するワイヤ固定部１０ａを有するコマ部材１０とを備えている。ナット９を雄ネジ８に対して一方向に回転させて切刃２から離れる方向に移動させることにより、コマ部材１０を切刃２から遠ざけてワイヤ５にかかる張力を増大させることができるようになっている。また、ナット９を逆方向に回転させることにより、ワイヤ５にかかる張力を低減することができるようになっている。
【００２３】
このように構成された本実施形態に係る観察面用カッタ１を用いて生体組織Ａに円筒状の穴Ｂを形成するには、張力調節機構６を作動させてワイヤ５の張力を適正に調節する。次いで、図３（ａ）に示されるように、観察面用カッタ１の先端を生体組織Ａの表面に近接させ、押し付けて軸方向に押圧する。これにより、図３（ｂ）に示されるように、円環状の切刃２の細い先端および細いワイヤ５から受ける大きな接触圧力によって生体組織Ａを切断しながら観察面用カッタ１の先端を所望の深さ位置まで押し込むことができる。
【００２４】
あるいは、カッタ本体３を軸線Ｃ回りに回転させながら押し込むことにより、生体組織Ａに円環状の切刃２によって円環状の切り込みを形成しつつ、カッタ本体３の内側の生体組織Ａをワイヤ５によって螺旋状に切断しながら、観察面用カッタ１の先端を所望の深さ位置まで押し込むことができる。
また、ワイヤ５が切欠４に係合しているので、ワイヤ５が位置ズレするのを防止し、切断能力を維持することができる。
【００２５】
この状態から、図３（ｃ）に示されるように、観察面用カッタ１をその軸線Ｃ回りに回転させることにより、切刃２に掛け渡されているワイヤ５をカッタ本体３の軸線Ｃ回りに回転させる。ワイヤ５はカッタ本体３の軸線Ｃを通る位置に該軸線Ｃに直交して掛け渡されているので、軸線Ｃ回りに回転させられると、カッタ本体３の先端位置において、カッタ本体３の内側に存在している生体組織Ａを軸線Ｃに直交する平面に沿って切断する。そして、カッタ本体３を少なくとも半周回転させることにより、カッタ本体３の内側に存在している生体組織Ａ全体を余すことなく切断することができる。
【００２６】
この後に、図３（ｄ）に示されるように、観察面用カッタ１を生体組織Ａから引き抜くことにより、ワイヤ５によって平坦に切断された観察面Ｄを底面に有する円筒状の穴Ｂが生体組織Ａに形成されることになる。切り取られた生体組織Ａは、ワイヤ５に引っかかって引き抜き時に除去される。除去されずに穴Ｂ内に残った場合においても、吸引あるいは洗浄によって容易に取り去ることができる。
また、観察用カッタ１を引き抜く際に、カッタ本体３の終端面（ワイヤ５が備えられていない面）の穴を指などで塞ぐことにより、切り取られた生体組織Ａが穴Ｂ内に残り難くすることができる。
【００２７】
すなわち、本実施形態に係る観察面用カッタ１によれば、生体組織Ａに円環状の切り込みを形成できるのみならず、底面の細胞を潰したり組織構造を破壊したりすることなく、平坦な観察面Ｄを切断によって形成することができる。したがって、形成された穴Ｂに細径の対物レンズ（図示略）を挿入して、健全な生体組織Ａの２次元的あるいは３次元的な光学的観察を行うことができるという利点がある。
【００２８】
なお、本実施形態においては、カッタ本体３の先端に全周にわたる円環状の切刃２を有する場合について説明したが、これに代えて、切刃２は、周方向の一部のみに設けられていてもよい。
また、カッタ本体３を半径方向に貫通する貫通穴７を介してワイヤ５をカッタ本体３内に通すこととしたが、これに代えて、図４に示されるように、軸方向に貫通する貫通穴７を介して通すことにしてもよい。図中符号１１は、カッタ本体３の外周面に設けられ、ワイヤ５を収納する溝である。
また、雄ネジ８とナット９とコマ部材１０とからなる張力調節機構を例示したが、これに代えて、他の任意の機構を採用することにしてもよい。
【００２９】
次に、本発明の第２の実施形態に係る観察面用カッタ２０とその製造方法について、図５〜図７を参照して、以下に説明する。
本実施形態に係る観察面用カッタ２０は、図５に示されるように、略円筒状のカッタ本体２１の先端に、３／４周分にわたって周方向に延びる周方向刃部２２と、１／４周分の領域で半径方向内方に突出し、その一端縁に半径方向に延びる半径方向刃部２３とを一体的に備えている。
【００３０】
本実施形態に係る観察面用カッタ２０は、以下の製造方法により容易に製造することができる。
まず、図６および図７（ａ）に示されるように、先端に斜面２４ａを有する円柱状の金属材料からなる金型２４を用意する。斜面２４ａは、例えば、金型２４の中心軸線Ｃを含む平面Ｐに対して片側のみに一定の勾配で削り取った形状に形成されている。
【００３１】
次に、この金型２４の表面に、例えば、ニッケルメッキ（電気鋳造）を施すことにより、図７（ｂ）に示されるように、外周面および前記斜面２４ａが設けられた端面を覆うメッキ層（金属皮膜）２５を形成する。メッキ層２５は、剛性を保持し得る十分な厚さ寸法に形成する。メッキ層２５が形成された後に、内側から金型２４を抜き出すことにより、金型２４の外周面を覆う位置に形成された円筒部２６と、金型２４の斜面２４ａを覆う位置に形成された傾斜部２７とを有し一端が閉塞された円筒状素材２８が構成される。
【００３２】
この後に、図７（ｂ）に破線Ｅ−Ｅで示されるように、傾斜部２７の内面が円筒部２６の中心軸線Ｃと交差する位置において、該中心軸線Ｃに直交する平面に沿って切断し端部を切り落とす。これにより、図７（ｃ）に示されるように切断面に円筒部２６の中心から半径方向に延びる半径方向刃部２３が形成される。
さらに、図７（ｄ）に示されるように、切断面に略３／４周にわたって形成されている円弧状部分の外周縁を先端に向かって先細になるように切削または研削することにより、周方向刃部２２が形成される。
これにより、図５の観察面用カッタ２０が製造される。
【００３３】
このようにして製造された観察面用カッタ２０によって、生体組織Ａに穴を形成するには、半径方向刃部２３と周方向刃部２２とが形成された先端を生体組織Ａの表面に押し付けて、中心軸線Ｃ回りに、半径方向刃部２３が回転方向前方に向かうように回転させる。これにより、周方向刃部２２によって円環状の切り込みを形成しつつ、半径方向刃部２３によって周方向刃部２２の内側の生体組織Ａを螺旋状に切断し、観察面用カッタ２０の先端を生体組織Ａ内に進行させていくことができる。そして、所定の深さまで進行した後には、軸方向への押圧を停止してその場で同一方向に回転させ続けることにより、半径方向刃部２３によって平坦に切断された観察面Ｄを底面に有する穴Ｂを容易に形成することができる。
【００３４】
なお、本実施形態に係る観察面用カッタ２０においては、半径方向刃部２３および周方向刃部２２を切削または研削により形成した後に、ウェットエッチングまたはドライエッチング等のエッチングを施すことことにより、各刃部２２，２３を鋭利に形成して切れ味を向上させることにしてもよい。
また、各刃部に、メッキ材料より硬度の高い材料からなるコーティング、例えば、ダイヤモンドコーティングを施すことにしてもよい。
【００３５】
また、金型２４として、軸線Ｃを含む平面Ｐの片側に斜面２４ａを有するものを採用したが、これに代えて、図８に示されるように、軸線Ｃを含む平面Ｐを挟んで両側に逆方向に傾斜する斜面２４ａ，２４ｂを有する金型を採用してもよい。このようにすることで、図９に示されるように、中心から半径方向外方に延びる２つの半径方向刃部２３と、１／４周分の円弧状の２つの周方向刃部２２とを有する観察面用カッタ２０′を製造することができる。
【００３６】
次に、本発明の一実施形態に係る観察用穴開け具３０について、図１０〜図１７を参照して以下に説明する。
本実施形態に係る観察用穴開け具３０は、例えば、第１の実施形態に係る観察面用カッタを有するものであるが、これに代えて、第２の実施形態に係る観察面用カッタを有していてもよい。
【００３７】
本実施形態に係る観察用穴開け具は、図１０にされるように、先端に全周にわたる円環状の切刃３１を有する円筒状のガイド部材３２と、該ガイド部材３２の内側に挿脱可能に嵌合され、ガイド部材３２によって周方向に回転自在に支持される観察面用カッタ１と、ガイド部材３２の軸方向位置を位置決めする位置決め機構３３とを備えている。
【００３８】
ガイド部材３２は、略円筒状の本体部３４と、該本体部３４の先端に着脱可能に取り付けられる先端部３５と、これらを周方向に相対回転しないように固定する押しネジ（固定手段）３６とを備えている。本体部３４の外周面には、先端部３５が取り付けられる先端側に向かって一段細くなる段部３７が全周にわたって形成されている。
【００３９】
位置決め機構３３は、ガイド部材３２を受ける支持部材３８と、該支持部材３８をＸＹＺ３次元方向に移動させるＸＹＺ駆動機構３９とを備えている。ＸＹＺ駆動機構３９は、動物等の試料Ｘを載置するステージ４２から鉛直上方に延びる支柱４１に取り付けられ、支持部材３８を任意の位置に位置決めすることができるようになっている。
【００４０】
支持部材３８は、前記ガイド部材３２を回転自在に嵌合させる貫通穴４０と、ガイド部材３２の段部３７を突き当てる突当面４１を備えている。ガイド部材３２を支持部材３８の貫通穴４０に挿入して、段部３７を突当面４１に突き当てることにより、ガイド部材３２の先端の切刃３１を軸線Ｃ方向に精度よく位置決めすることができるようになっている。
【００４１】
このように構成された本実施形態に係る観察用穴開け具３０を用いて、例えば、動物の脳の深部に観察用の穴Ｂを開けるには、位置決め機構３３を作動させて、公知の工具により頭蓋骨Ｆに穿孔された穴Ｇの位置に、支持部材３８を配置し、該支持部材３８の貫通穴４０にガイド部材３２を嵌合させて、ガイド部材３２の先端の切刃３１を頭蓋骨Ｆ内の脳組織Ａ′の表面に接触させる。ガイド部材３２の先端部３５の切刃３１は、鋭利な円環状に形成されているので、支持部材３８に対してガイド部材３２を軸方向に押圧することにより、あるいは、軸線Ｃ回りに回転させることにより、切刃３１によって脳組織Ａ′の表面から円環状の切り込みを形成していく。
【００４２】
支持部材３８を所定の位置に位置決めしておくことにより、ガイド部材３２の段部３７が支持部材３８の突当面４１に突き当たるまで挿入すると、ガイド部材３２のそれ以上の挿入が禁止され、図１１に示されるように、ガイド部材３２の先端の切刃３１を脳組織Ａ′内の所望の深さ位置に精度よく配置することができる。
【００４３】
この状態で、図１２に示されるように、ガイド部材３２の内側に観察面用カッタ１を挿入し、図１３に示されるように、観察面用カッタ１を軸線Ｃ回りに回転させつつ脳組織Ａ′に押し込むことにより、観察面用カッタ１の先端の周方向刃部２およびワイヤ５をガイド部材３２の先端の切刃３１と同じ位置に配置する。そして、この位置で、観察面用カッタ１を軸線Ｃ回りに少なくとも半周回転させることにより、ガイド部材３２の内側の脳組織Ａ′を軸線Ｃに垂直な平面に沿って切断することができる。
【００４４】
その後、図１４に示されるように、観察面用カッタ１を軸線Ｃ方向に引き抜くことにより、切り取られた脳組織Ａ′を観察面用カッタ１の先端部３５に保持したまま除去することができ、脳組織Ａ′に平坦な観察面Ｄを底面とする略円筒状の穴Ｂを開けることができる。
本実施形態においては、さらに、図１５に示されるように、ガイド部材３２の先端部を頭蓋骨Ｆに接着剤Ｈによって接着し、押しネジ３６を緩めることによって、先端部３５から本体部３４を切り離し、図１６に示されるように、位置決め機構３３を作動させて本体部３４を支持部材３８ごと上昇させることにより、頭蓋骨Ｆの穴Ｇに先端部３５を接着した状態に留置することができる。
【００４５】
これにより、先端部３５を止血部材として機能させ、先端部３５の外側の脳組織Ａ′からの血液や体液が先端部３５の内側の観察面Ｄに流入するのを防止することができる。この状態で、先端部３５の内側を生理食塩水等によって洗浄する。そして、図１７に示されるように、対物レンズ４３の細径先端部４４を先端部３５の内側に形成されている穴Ｂ内に挿入して、その先端を観察面Ｄに対向させる。これにより、脳組織Ａ′の深部を２次元的にあるいは３次元的に、光学的に観察することができる。
【００４６】
なお、本実施形態においては、まず、ガイド部材３２によって脳組織Ａ′に円環状の切り込みを形成し、その後、観察面用カッタ１によって、その切り込みの内側を切り取ることとしたが、ガイド部材３２と観察面用カッタ１とを一体的に固定して、同時に切り込みを行うこととしてもよい。
本実施形態においては、動物等の試料Ｘを固定していないが、公知の固定装置、例えば、成茂科学機器研究所製の脳定位固定装置ＳＲ−５Ｍにより固定し、観察用の穴開け、ガイド部材の配置および観察の精度をより向上することにしてもよい。
【図面の簡単な説明】
【００４７】
【図１】本発明の第１の実施形態に係る観察面用カッタを示す縦断面図である。
【図２】図１の観察面用カッタの先端の周方向刃部および半径方向刃部を示す部分的な斜視図である。
【図３】図１の観察面用カッタを用いて生体組織に平坦な観察面を底面に有する穴を形成する作業を説明する図である。
【図４】図１の観察面用カッタの変形例を示す縦断面図である。
【図５】本発明の第２の実施形態に係る観察面用カッタの先端部を示す部分的な斜視図である。
【図６】図５の観察面用カッタの製造に使用される金型の先端部の構造を示す部分的な斜視図である。
【図７】図５の観察面用カッタの製造方法を説明する工程図である。
【図８】図５の観察面用カッタの変形例の製造に使用される金型の先端部の構造を示す部分的な斜視図である。
【図９】図８の金型を用いて製造される図５の変形例に係る観察面用カッタの先端部を示す部分的な斜視図である。
【図１０】本発明の一実施形態に係る観察用穴開け具を示す全体構成図である。
【図１１】図１の観察用穴開け具を用いて脳組織に穴を形成する作業を説明する縦断面図である。
【図１２】図１１により脳組織に切り込みを形成したガイド部材に観察面用カッタを挿入する作業を説明する縦断面図である。
【図１３】図１２により挿入した観察面用カッタにより脳組織を切断する作業を説明する縦断面図である。
【図１４】図１３により切断した脳組織の一部を除去する作業を説明する縦断面図である。
【図１５】図１４により脳組織の一部を除去した後にガイド部材の先端部を接着する作業を説明する縦断面図である。
【図１６】図１５により頭蓋骨に接着した先端部を本体部から切り離す作業を説明する縦断面図である。
【図１７】図１６により切り離された本体部内に形成されている穴に対物レンズの細径先端部を挿入して行われる光学的な観察を説明する縦断面図である。
【符号の説明】
【００４８】
Ａ  生体組織
Ａ′  脳組織（生体組織）
Ｂ  穴
Ｃ  軸線
Ｄ  観察面
Ｐ  平面
１，２０，２０′  観察面用カッタ
２，２２  周方向刃部
３  カッタ本体（円筒体）
４  切欠
５  ワイヤ（半径方向刃部）
６  張力調節機構
２３  半径方向刃部
２４  金型（型部材）
２４ａ，２４ｂ  斜面
２５  メッキ層（金属皮膜）
２７  傾斜部
２８  円筒状素材
３０  観察用穴開け具
３１  切刃
３２  ガイド部材
３４  本体部
３５  先端部
３６  押しネジ（固定手段）
３７  段部
３８  支持部材
４１  突当面
【図１】
0005139007.tif 000002
【図２】
0005139007.tif 000003
【図３】
0005139007.tif 000004
【図４】
0005139007.tif 000005
【図５】
0005139007.tif 000006
【図６】
0005139007.tif 000007
【図７】
0005139007.tif 000008
【図８】
0005139007.tif 000009
【図９】
0005139007.tif 000010
【図１０】
0005139007.tif 000011
【図１１】
0005139007.tif 000012
【図１２】
0005139007.tif 000013
【図１３】
0005139007.tif 000014
【図１４】
0005139007.tif 000015
【図１５】
0005139007.tif 000016
【図１６】
0005139007.tif 000017
【図１７】
0005139007.tif 000018